(57)【要約】【課題】従来技術の問題を解決する。【解決手段】障害の検出後にデータ伝送を取り扱う通信デバイスが、指令を格納するストレージデバイスと、ストレージデバイスに連結される処理回路とを含む。処理回路は、格納される指令を実行するように構成される。指令は、第１のＢＳから、第１のデータ無線ベアラ（ＤＲＢ）を設定する並びに第１のフローを第１のＤＲＢにマッピングするマッピングを設定する第１の無線リソース制御（ＲＲＣ）メッセージを受信すること、第１のフローの第１の複数のプロトコルデータユニット（ＰＤＵ）を送信すること、第２のＤＲＢを通じて第１のフロー又は第２のフローのＰＤＵを受信すること、第１のフローの第２の複数のＰＤＵを送信すること、障害を検出すること、障害回復要求メッセージを第１のＢＳ又は第２のＢＳに送信すること、障害回復メッセージを受信すること、及び第１のＤＲＢを通じて第１のフローの第３の複数のＰＤＵを送信することを含む。【選択図】図１
2018093494.tif 000002
【特許請求の範囲】
【請求項１】
障害の検出後にデータ伝送を取り扱うための通信デバイスであって、
ストレージデバイスと、
該ストレージデバイスに連結される処理回路とを含み、
前記ストレージデバイスは、
第１のＢＳから、第１のデータ無線ベアラ（ＤＲＢ）を設定する並びに第１のフローを前記第１のＤＲＢにマッピングするマッピングを設定する第１の無線リソース制御（ＲＲＣ）メッセージを受信するという指令と、
該第１のＲＲＣメッセージに応答して、前記第１のＤＲＢを通じて前記第１のフローの第１の複数のプロトコルデータユニット（ＰＤＵ）を前記第１のＢＳに送信するという指令と、
前記第１のＢＳから第２のＤＲＢを通じて前記第１のフロー又は第２のフローのＰＤＵを受信するという指令と、
該ＰＤＵに応答して、前記第２のＤＲＢを通じて前記第１のフローの第２の複数のＰＤＵを前記第１のＢＳに送信するという指令と、
無線リンク障害、ハンドオーバ障害、完全性チェック障害又はＲＲＣ接続再設定障害である、障害を検出するという指令と、
該障害に応答して、障害回復要求メッセージを前記第１のＢＳ又は第２のＢＳに送信するという指令と、
前記障害回復要求メッセージに応答して、障害回復メッセージを前記第１のＢＳ又は第２のＢＳから受信するという指令と、
ｈ）前記障害の回復後に、前記障害回復メッセージに応答して、前記第１のＤＲＢを通じて前記第１のフローの第３の複数のＰＤＵを前記第１のＢＳ又は前記第２のＢＳに送信するという指令と、
を格納し、
前記処理回路は、前記ストレージデバイスに格納される前記指令を実行するように構成される、
通信デバイス。
【請求項２】
前記第１のＲＲＣメッセージは、前記マッピングを設定するマッピング設定と、前記第１のＤＲＢを設定するＤＲＢ設定とを含み、前記マッピング設定及び前記ＤＲＢ設定は、前記障害に応答して当該通信デバイスによって維持される、請求項１に記載の通信デバイス。
【請求項３】
前記ストレージデバイスは、
前記障害に応答して、セカンダリセル（ＳＣｅｌｌ）設定又はセカンダリセルグループ（ＳＣＧ）設定を解除するという指令と、
前記障害の検出前に、アップリンク（ＵＬ）伝送及びダウンリンク（ＤＬ）伝送のうちの少なくとも一方をスケジュールするために前記第１のＢＳによって送信される制御チャネルをモニタリングする識別子で構成されるという指令と、
前記障害に応答して、前記識別子を維持するという指令と、
を更に格納する、
請求項１に記載の通信デバイス。
【請求項４】
前記ストレージデバイスは、
前記障害回復メッセージが前記第１のフローを前記第２のＤＲＢにマッピングするマッピングを設定しないときに、前記障害回復メッセージに応答して、前記第１のＤＲＢを通じて前記第１のフローの前記第３の複数のＰＤＵを送信するという指令と、
前記障害回復メッセージが前記第１のフローを前記第２のＤＲＢにマッピングするマッピングを設定しないときに、前記障害回復メッセージに応答して、前記第２のＤＲＢを通じて前記第１のフローの前記第３の複数のＰＤＵを送信するという指令と、
を更に格納する、
請求項１に記載の通信デバイス。
【請求項５】
障害の検出後にデータ伝送を取り扱うための通信デバイスであって、
ストレージデバイスと、
該ストレージデバイスに連結される処理回路とを含み、
前記ストレージデバイスは、
第１のＢＳから、第１のデータ無線ベアラ（ＤＲＢ）を設定する並びに第１のフローを前記第１のＤＲＢにマッピングするマッピングを設定する第１の無線リソース制御（ＲＲＣ）メッセージを受信するという指令と、
該第１のＲＲＣメッセージに応答して、前記第１のＤＲＢを通じて前記第１のフローの第１の複数のプロトコルデータユニット（ＰＤＵ）を前記第１のＢＳに送信するという指令と、
前記第１のＢＳから第２のＤＲＢを通じて前記第１のフロー又は第２のフローのＰＤＵを受信するという指令と、
該ＰＤＵに応答して、前記第２のＤＲＢを通じて前記第１のフローの第２の複数のＰＤＵを前記第１のＢＳに送信するという指令と、
無線リンク障害、ハンドオーバ障害、完全性チェック障害又はＲＲＣ接続再設定障害である、障害を検出するという指令と、
該障害に応答して、障害回復要求メッセージを前記第１のＢＳ又は第２のＢＳに送信するという指令と、
前記障害回復要求メッセージに応答して、障害回復メッセージを前記第１のＢＳ又は第２のＢＳから受信するという指令と、
前記障害の回復後に、前記障害回復メッセージに応答して、前記第２のＤＲＢを通じて前記第１のフローの第３の複数のＰＤＵを前記第１のＢＳ又は前記第２のＢＳに送信するという指令と、
を格納し、
前記処理回路は、前記ストレージデバイスに格納される前記指令を実行するように構成される、
通信デバイス。
【請求項６】
前記第１のＲＲＣメッセージは、前記マッピングを設定するマッピング設定と、前記第１のＤＲＢを設定するＤＲＢ設定とを含む、請求項５に記載の通信デバイス。
【請求項７】
前記ストレージデバイスは、
前記障害に応答して、前記ＤＲＢ設定を維持するという指令と、
前記マッピング設定が前記ＤＲＢ設定に含められるならば、前記マッピング設定を解除し、前記ＤＲＢ設定中の少なくとも１つの設定を維持するという指令と、
前記マッピング設定がパケットデータ収束プロトコル（ＰＤＣＰ）設定に含められるならば、前記マッピング設定を解除し、前記ＰＤＣＰ設定中の少なくとも１つの設定を維持するという指令と、
を更に格納する、
請求項６に記載の通信デバイス。
【請求項８】
前記ストレージデバイスは、
前記第１のＢＳから前記第２のＤＲＢを通じて前記第１のフロー又は前記第２のフローの前記ＰＤＵを受信して、前記第２のＤＲＢを通じて前記第１のフローの第４の複数のＰＤＵを送信するよう当該通信デバイスに表示するという指令であって、該表示は、前記障害の検出後に有効である、指令と、
前記障害の検出後に、前記表示に従って前記第１のＤＲＢを通じて前記第１のフローの第５の複数のＰＤＵを前記第２のＢＳに送信するという指令と、
を更に格納する、
請求項５に記載の通信デバイス。
【請求項９】
前記ストレージデバイスは、
前記障害に応答して、電力制御設定及び周期的チャネル品質指標（ＣＱＩ）報告設定のうちの少なくとも一方を解除するという指令を更に格納する、
請求項５に記載の通信デバイス。
【請求項１０】
前記ストレージデバイスは、
前記障害の検出前に、アップリンク（ＵＬ）伝送及びダウンリンク（ＤＬ）伝送のうちの少なくとも一方をスケジュールするために前記第１のＢＳによって送信される制御チャネルをモニタリングする識別子で構成されるという指令と、
前記障害に応答して、前記識別子を維持するという指令と、
を更に格納する、
請求項５に記載の通信デバイス。
【請求項１１】
前記ストレージデバイスは、
前記障害回復メッセージが前記第１のフローをＤＲＢにマッピングすることを表示するマッピング設定を含まないときに、前記障害回復メッセージに応答して、前記第２のＤＲＢを通じて前記第１のフローの前記第３の複数のＰＤＵを送信するという指令と、
前記障害回復メッセージが前記第１のフローを第３のＤＲＢにマッピングするマッピングを設定するときに、前記障害回復メッセージに応答して、前記第３のＤＲＢを通じて前記第１のフローの前記第３の複数のＰＤＵを送信するという指令と、
を更に格納する、
請求項５に記載の通信デバイス。
【請求項１２】
前記ストレージデバイスは、
前記障害回復メッセージを受信するときに、ＲＲＣ接続の少なくとも１つの信号伝達無線ベアラ（ＳＲＢ）を再開するという指令であって、前記障害回復メッセージは、前記ＲＲＣ接続の前記少なくとも１つのＳＲＢを再設定する、指令と、
第２のＲＲＣメッセージを受信するときに、前記第１のＤＲＢ及び第３のＤＲＢのうちの少なくとも一方を再開するという指令であって、前記第２のＲＲＣメッセージは、前記第１のＤＲＢ及び前記第３のＤＲＢのうちの少なくとも一方を再設定する、指令と、
を更に格納する、
請求項５に記載の通信デバイス。
【請求項１３】
障害の検出後にデータ伝送を取り扱うための通信デバイスであって、
ストレージデバイスと、
該ストレージデバイスに連結される処理回路とを含み、
前記ストレージデバイスは、
第１のＢＳから、第１のデータ無線ベアラ（ＤＲＢ）を設定する並びに第１のフローを前記第１のＤＲＢにマッピングするマッピングを設定する第１の無線リソース制御（ＲＲＣ）メッセージを受信するという指令と、
該第１のＲＲＣメッセージに応答して、前記第１のＤＲＢを通じて前記第１のフローの第１の複数のプロトコルデータユニット（ＰＤＵ）を前記第１のＢＳに送信するという指令と、
前記第１のＢＳから第２のＤＲＢを通じて前記第１のフロー又は第２のフローのＰＤＵを受信するという指令と、
該ＰＤＵに応答して、前記第２のＤＲＢを通じて前記第１のフローの第２の複数のＰＤＵを前記第１のＢＳに送信するという指令と、
無線リンク障害、ハンドオーバ障害、完全性チェック障害又はＲＲＣ接続再設定障害である、障害を検出するという指令と、
該障害に応答して、障害回復要求メッセージを前記第１のＢＳ又は第２のＢＳに送信するという指令と、
前記障害回復要求メッセージに応答して、障害回復メッセージを前記第１のＢＳ又は第２のＢＳから受信するという指令と、
前記障害回復メッセージに応答して、障害回復完了メッセージを前記第１のＢＳ又は前記第２のＢＳに送信するという指令と、
前記障害回復完了メッセージの送信後に、前記第１のＢＳ又は前記第２のＢＳから第２のＲＲＣメッセージを受信するという指令と、
前記第２のＲＲＣメッセージに応答して、前記第２のＤＲＢを通じて前記第１のフローの第３の複数のＰＤＵを前記第１のＢＳ又は前記第２のＢＳに送信するという指令と、
を格納し、
前記処理回路は、前記ストレージデバイスに格納される前記指令を実行するように構成される、
通信デバイス。
【請求項１４】
前記第１のＲＲＣメッセージは、前記マッピングを設定するマッピング設定と、前記第１のＤＲＢを設定するＤＲＢ設定とを含む、請求項１３に記載の通信デバイス。
【請求項１５】
前記第１のＢＳによって送信される前記第１のＲＲＣメッセージ又は第３のＲＲＣメッセージは、前記障害の発生前に、前記第２のＤＲＢを設定する、請求項１３に記載の通信デバイス。
【請求項１６】
前記ストレージデバイスは、
前記障害に応答して、セカンダリセル（ＳＣｅｌｌ）設定又はセカンダリセルグループ（ＳＣＧ）設定を解除するという指令を更に格納する、
請求項１３に記載の通信デバイス。
【請求項１７】
前記ストレージデバイスは、
前記障害の検出前に、アップリンク（ＵＬ）伝送及びダウンリンク（ＤＬ）伝送をスケジュールするために前記第１のＢＳによって送信される制御チャネルをモニタリングする識別子で構成されるという指令と、
前記障害に応答して、前記識別子を維持するという指令と、
を更に格納する、
請求項１３に記載の通信デバイス。
【請求項１８】
前記ストレージデバイスは、
前記第１のＢＳから前記第２のＤＲＢを通じて前記第１のフロー又は前記第２のフローの前記ＰＤＵを受信して、前記第２のＤＲＢを通じて前記第１のフローの第４の複数のＰＤＵを送信するよう当該通信デバイスに表示するという指令であって、前記表示は、前記障害の回復後に有効である、指令と、
前記第２のＲＲＣメッセージに応答して、前記第２のＢＳへの前記表示に従って前記第１のＤＲＢを通じて前記第１のフローの第５の複数のＰＤＵを送信するという指令と、
を更に格納する、
請求項１３に記載の通信デバイス。
【請求項１９】
前記ストレージデバイスは、
前記第２のＲＲＣメッセージが前記第１のフローを第３のＤＲＢにマッピングするマッピングを設定するときに、前記第２のＲＲＣメッセージに応答して、前記第３のＤＲＢを通じて前記第１のフローの前記第３の複数のＰＤＵを送信するという指令を更に格納する、
請求項１３に記載の通信デバイス。
【請求項２０】
前記ストレージデバイスは、
前記障害回復メッセージを受信するときに、ＲＲＣ接続の少なくとも１つの信号伝達無線ベアラ（ＳＲＢ）を再開するという指令と、
前記第２のＲＲＣメッセージを受信するときに、前記第１のＤＲＢ及び前記第２のＤＲＢのうちの少なくとも一方を再開するという指令であって、前記第２のＲＲＣメッセージは、前記第１のＤＲＢ及び前記第２のＤＲＢのうちの少なくとも一方を設定する、指令と、
を更に格納する、
請求項１３に記載の通信デバイス。
【発明の詳細な説明】
【技術分野】
【０００１】
本発明は、無線通信システムで用いられるデバイス及び方法に関し、より具体的には、無線通信システムにおける障害の検出後にデータ伝送を取り扱うデバイス及び方法に関する。
【背景技術】
【０００２】
ロングタームエボリューション（ＬＴＥ）システムは、キャリアアグリゲーション（ＣＡ）、デュアルコネクティビティ（ＤＣ）、免許不要帯域(unlicensed  spectrum)を通じたＬＴＥ伝送（例えば、ＬＴＥ−免許不要（ＬＴＥ−Ｕ）又はライセンス補助アクセス（ＬＡＡ））を含む。１つの実施例では、免許不要帯域における伝送、例えば、免許帯域(licensed  spectrum)及び免許不要帯域のキャリアアグリゲーションを補助するために、ＬＴＥ−Ｕ／ＬＡＡ動作のために免許帯域が必要とされることがある。他の実施例では、ＬＴＥ−Ｕ動作のために免許帯域は必要とされないことがある。例えば、ユーザ機器（ＵＥ）は、免許帯域ではなく免許不要帯域において発展型Ｎｏｄｅ−Ｂ（ｅＮＢ）と通信し、それはＭｕｌｔｅＦｉｒｅと呼ばれる。
【先行技術文献】
【非特許文献】
【０００３】
【非特許文献１】3GPP  TR  23.799  v1.1.0  (2016-10),  Technical  Report,  “3rd  Generation  Partnership  Project;  Technical  Specification  Group  Services  and  System  Aspects;  Study  on  Architecture  for  Next  Generation  System  (Release  14)”
【発明の概要】
【０００４】
従って、本発明は、上述の問題を解決するために、無線通信システムにおける障害を検出した後のデータ伝送を取り扱う通信デバイス及び方法を提供する。
【０００５】
障害の検出後にデータ伝送を取り扱うための通信デバイスが、指令を格納するストレージデバイスと、ストレージデバイスに連結される処理回路とを含む。処理回路は、ストレージデバイスに格納される指令を実行するように構成される。指令は、第１のＢＳから、第１のデータ無線ベアラ（ＤＲＢ）を設定する並びに第１のフローを第１のＤＲＢにマッピングするマッピングを設定する第１の無線リソース制御（ＲＲＣ）メッセージを受信するという指令と、第１のＲＲＣメッセージに応答して、第１のＤＲＢを通じて第１のフローの第１の複数のプロトコルデータユニット（ＰＤＵ）を第１のＢＳに送信するという指令と、第１のＢＳから第２のＤＲＢを通じて第１のフロー又は第２のフローのＰＤＵを受信するという指令と、ＰＤＵに応答して、第２のＤＲＢを通じて第１のフローの第２の複数のＰＤＵを第１のＢＳに送信するという指令と、無線リンク障害、ハンドオーバ障害、完全性チェック障害又はＲＲＣ接続再設定障害である、障害を検出するという指令と、障害に応答して、障害回復要求メッセージを第１のＢＳ又は第２のＢＳに送信するという指令と、障害回復要求メッセージに応答して、障害回復メッセージを第１のＢＳ又は第２のＢＳから受信するという指令と、障害の回復後に、障害回復メッセージに応答して、第１のＤＲＢを通じて第１のフローの第３の複数のＰＤＵを第１のＢＳ又は第２のＢＳに送信するという指令とを含む。
【０００６】
障害の検出後にデータ伝送を取り扱うための通信デバイスが、指令を格納するストレージデバイスと、ストレージデバイスに連結される処理回路とを含む。処理回路は、ストレージデバイスに格納される指令を実行するように構成される。指令は、第１のＢＳから、第１のＤＲＢを設定する並びに第１のフローを第１のＤＲＢにマッピングするマッピングを設定する第１のＲＲＣメッセージを受信するという指令と、第１のＲＲＣメッセージに応答して、第１のＤＲＢを通じて第１のフローの第１の複数のＰＤＵを第１のＢＳに送信するという指令と、第１のＢＳから第２のＤＲＢを通じて第１のフロー又は第２のフローのＰＤＵを受信するという指令と、ＰＤＵに応答して、第２のＤＲＢを通じて第１のフローの第２の複数のＰＤＵを第１のＢＳに送信するという指令と、無線リンク障害、ハンドオーバ障害、完全性チェック障害又はＲＲＣ接続再設定障害である、障害を検出するという指令と、障害に応答して、障害回復要求メッセージを第１のＢＳ又は第２のＢＳに送信するという指令と、障害回復要求メッセージに応答して、障害回復メッセージを第１のＢＳ又は第２のＢＳから受信するという指令と、障害の回復後に、障害回復メッセージに応答して、第２のＤＲＢを通じて第１のフローの第３の複数のＰＤＵを第１のＢＳ又は第２のＢＳに送信するという指令とを含む。
【０００７】
障害の検出後にデータ伝送を取り扱うための通信デバイスが、指令を格納するストレージデバイスと、ストレージデバイスに連結される処理回路とを含む。処理回路は、ストレージデバイスに格納される指令を実行するように構成される。指令は、第１のＢＳから、第１のＤＲＢを設定する並びに第１のフローを第１のＤＲＢにマッピングするマッピングを設定する第１のＲＲＣメッセージを受信するという指令と、第１のＲＲＣメッセージに応答して、第１のＤＲＢを通じて第１のフローの第１の複数のＰＤＵを第１のＢＳに送信するという指令と、第１のＢＳから第２のＤＲＢを通じて第１のフロー又は第２のフローのＰＤＵを受信するという指令と、ＰＤＵに応答して、第２のＤＲＢを通じて第１のフローの第２の複数のＰＤＵを第１のＢＳに送信するという指令と、無線リンク障害、ハンドオーバ障害、完全性チェック障害又はＲＲＣ接続再設定障害である、障害を検出するという指令と、障害に応答して、障害回復要求メッセージを第１のＢＳ又は第２のＢＳに送信するという指令と、障害回復要求メッセージに応答して、障害回復メッセージを第１のＢＳ又は第２のＢＳから受信するという指令と、障害回復メッセージに応答して、障害回復完了メッセージを第１のＢＳ又は第２のＢＳに送信するという指令と、障害回復完了メッセージの送信後に、第１のＢＳ又は第２のＢＳから第２のＲＲＣメッセージを受信するという指令と、第２のＲＲＣメッセージに応答して、第２のＤＲＢを通じて第１のフローの第３の複数のＰＤＵを第１のＢＳ又は第２のＢＳに送信するという指令とを含む。
【０００８】
本発明のこれらの及び他の目的は、様々な図及び図面に例示される好適な実施形態の以下の詳細な記述を読んだ後に当業者に疑義なく明らかになるであろう。
【図面の簡単な説明】
【０００９】
【図１】本発明の実施例に従った無線通信システムの概略図である。
【００１０】
【図２】本発明の実施例に従った通信デバイスの概略図である。
【００１１】
【図３】本発明の実施例に従ったプロセスのフローチャートである。
【００１２】
【図４】本発明の実施例に従ったプロセスのフローチャートである。
【００１３】
【図５】本発明の実施例に従ったプロセスのフローチャートである。
【００１４】
【図６】本発明の実施例に従ったプロセスのフローチャートである。
【００１５】
【図７】本発明の実施例に従ったプロセスのフローチャートである。
【００１６】
【図８】本発明の実施例に従ったプロセスのフローチャートである。
【００１７】
【図９】本発明の実施例に従ったプロセスのフローチャートである。
【００１８】
【図１０】本発明の実施例に従ったプロセスのフローチャートである。
【００１９】
【図１１】本発明の実施例に従ったプロセスのフローチャートである。
【００２０】
【図１２】本発明の実施例に従ったプロセスのフローチャートである。
【００２１】
【図１３】本発明の実施例に従ったプロセスのフローチャートである。
【００２２】
【図１４】本発明の実施例に従ったプロセスのフローチャートである。
【発明を実施するための形態】
【００２３】
図１は、本発明の実施例に従った無線通信システム１０の概略図である。無線通信システム１０は、簡潔には、ネットワークと、複数の通信デバイスとで構成される。ネットワーク及び通信デバイスは、（複数の）ライセンス帯域及び／又は（複数の）ライセンス不要帯域の１つ又はそれよりも多くのキャリアを介して互いに通信することがある。ネットワーク及び通信デバイスは、１つ又は多数の基地局（ＢＳ）に属する１つ又は多数のセル（例えば、１つ又は多数のキャリア）を介して互いに同時に通信することがある。上述のセルは、同じ又は異なる複信モード、即ち、周波数分割複信（ＦＤＤ）、時分割複信（ＴＤＤ）及びフレキシブル複信(flexible  duplexing)で作動させられることがある。
【００２４】
図１において、ネットワーク及び通信デバイスは、無線通信システム１０の構造を例示するために利用されているに過ぎない。実際には、ネットワークは、少なくとも１つの発展型Ｎｏｄｅ−Ｂ（ｅＮＢ）を含む発展型地上無線アクセスネットワーク（Ｅ−ＵＴＲＡＮ）であってよい。ネットワークは、通信デバイスと通信するために、直交周波数分割複信（ＯＦＤＭ）及び／又は非ＯＦＤＭ及び／又は１ｍｓよりも短い（例えば、１、２、３又は４ＯＦＤＭシンボル及び１００又は２００マイクロ秒の）伝送時間間隔（ＴＴＩ）を利用する少なくとも１つの５Ｇ  ＢＳを含む、第５世代（５Ｇ）ネットワークであってよい。一般的には、ＢＳは、ｅＮＢ及び５Ｇ  ＢＳのうちのいずれかに言及するために用いられることがある。
【００２５】
通信デバイスは、ユーザ機器（ＵＥ）、携帯電話、ラップトップ、タブレットコンピュータ、電子ブック、ポータブルコンピュータシステム、車両、船舶又は航空機であってよい。加えて、ネットワーク及び通信デバイスは、方向（即ち、伝送方向）に従って送信器又は受信器として見られることができる。例えば、アップリンク（上りリンク）（ＵＬ）に関して、通信デバイスは、送信器であり、ネットワークは、受信器であり、ダウンリンク（下りリンク）（ＤＬ）に関して、ネットワークは、送信器であり、通信デバイスは、受信器である。
【００２６】
図２は、本発明の実施例に従った通信デバイス２０の概略図である。通信デバイス２０は、図１に示す通信デバイス又はネットワークであってよいが、ここでは限定されない。通信デバイス２０は、マイクロプロセッサ又は特定用途向け集積回路（ＡＳＩＣ）のような処理回路２００、ストレージデバイス２１０、及び通信インターフェースデバイス２２０を含んでよい。ストレージデバイス２１０は、処理回路２００によってアクセスされ且つ処理される、プログラムコード２１４を格納してよい。ストレージデバイス２１０の例は、加入者識別モジュール（ＳＩＭ）、読出し専用記憶装置（ＲＯＭ）、フラッシュメモリ、ランダムアクセス記憶装置（ＲＡＭ）、ハードディスク、光データストレージデバイス、不揮発性ストレージデバイス、非一時的コンピュータ可読媒体（例えば、有形媒体）等を含むが、それらに限定されない。通信インターフェースデバイス２２０は、少なくとも１つの送受信器を含み、処理回路２００の処理結果に従って信号（例えば、データ、メッセージ及び／又はパケット）を送受信するために用いられる。
【００２７】
以下の例では、実施形態の例示を単純化するために、ＵＥが、図１中の通信デバイスを表すために用いられる。
【００２８】
図３は、本発明の実施例に従ったプロセス３０のフローチャートである。プロセス３０は、障害を検出した後にデータ伝送を取り扱うために、ＵＥにおいて利用される。プロセス３０は、以下のステップを含む。
【００２９】
ステップ３００：開始する。
【００３０】
ステップ３０２：第１のＢＳから、第１のデータ無線ベアラ（ＤＲＢ）を設定する並びに第１のフローを第１のＤＲＢにマッピングするマッピングを設定する第１の無線リソース制御（ＲＲＣ）メッセージを受信する。
【００３１】
ステップ３０４：第１のＲＲＣメッセージに応答して、第１のＤＲＢを通じて第１のフローの第１の複数のプロトコルデータユニット（ＰＤＵ）を第１のＢＳに送信する。
【００３２】
ステップ３０６：障害を検出し、障害は、無線リンク障害(radar  link  failure)、ハンドオーバ障害(handover  failure)、完全性チェック障害(integrity  check  failure)又はＲＲＣ接続再設定障害(RRC  connection  reconfiguration  failure)である。
【００３３】
ステップ３０８：障害に応答して、障害回復要求メッセージを第１のＢＳ又は第２のＢＳに送信する。
【００３４】
ステップ３１０：障害回復要求メッセージに応答して、第１のＢＳ又は第２のＢＳから障害回復メッセージを受信する。
【００３５】
ステップ３１２：障害回復メッセージに応答して、第２のＤＲＢを通じて第１のフローの第２の複数のＰＤＵを第１のＢＳ又は第２のＢＳに送信する。
【００３６】
ステップ３１４：終了する。
【００３７】
プロセス３０の実現は、上記の記述に限定されない。以下の実施例は、プロセス３０に適用されてよい。
【００３８】
１つの実施例において、第１のＲＲＣメッセージは、マッピング設定(mapping  configuration)と、ＤＲＢ設定(DRB  configuration)とを含む。マッピング設定は、第１のフローが第１のＤＲＢにマッピングされることを設定する。ＤＲＢ設定は、第１のＤＲＢを設定する。ＵＥは、マッピング又はマッピング設定に応答して、第１のＤＲＢを通じて第１のフローの第１の複数のＰＤＵを第１のＢＳに送信する。１つの実施例において、第１のＤＲＢ及び第２のＤＲＢは、異なる通信品質（quality of service）（ＱｏＳ）を有する。１つの実施例において、第１のＢＳによってＵＥに送信される第１のＲＲＣメッセージ又は第２のＲＲＣメッセージは、障害が起こる前に、第２のＤＲＢを設定してよい。
【００３９】
１つの実施例において、ＵＥは、障害（又は障害回復手順）に応答して、電力制御設定及び周期的なチャネル品質指標（channel  quality  indicator）（ＣＱＩ）報告設定のうちのすくなくとも１つを解除する。
【００４０】
１つの実施例において、ＵＥは、障害（又は障害回復手順）に応答して、ＤＲＢ設定を維持する。１つの実施例において、マッピング設定がＤＲＢ設定中に含まれるならば、ＵＥは、マッピング設定を解除し、ＤＲＢ設定中の少なくとも１つの設定（例えば、ＤＲＢアイデンティティ、無線リンク制御（ＲＬＣ）設定等）を維持する。１つの実施例において、マッピング設定がパケットデータ収束プロトコル（ＰＤＣＰ）中に含まれるならば、ＵＥは、マッピング設定を解除し、ＰＤＣＰ設定中の少なくとも１つの設定を維持する。
【００４１】
１つの実施例において、ＵＥは、障害を検出する前に、（複数の）ＵＬ及び（複数の）ＤＬのうちの少なくとも１つをスケジュールするために第１のＢＳによって送信される制御チャネルをモニタリングする識別子（例えば、無線ネットワークの一時的な識別子（Radio  Network  Temporary  Identifier）（ＲＮＴＩ））を用いて設定される。
【００４２】
１つの実施例において、第２のＤＲＢは、デフォルトＤＲＢであってよい。障害回復メッセージが、第１のフローを第１のＤＲＢにマッピングすることを設定するマッピング設定を含まないとき、ＵＥは、障害回復メッセージに応答して、第２のＤＲＢを通じて第１のフローの第２の複数のＰＤＵを送信する。即ち、ＵＥは、障害（又は障害回復手順）に応答して、マッピング設定を解除する。
【００４３】
１つの実施例において、障害回復メッセージが、第１のフローを第１のＤＲＢ又は第３のＤＲＢにマッピングすることを設定するマッピング設定を含むとき、ＵＥは、障害回復メッセージに応答して、第１のＤＲＢ又は第３のＤＲＢを通じて第１のフローの第２の複数のＰＤＵを送信する。１つの実施例において、第１のＤＲＢ及び第３のＤＲＢは、デフォルトＤＲＢでない。第１のＤＲＢ、第２のＤＲＢ及び第３のＤＲＢは、異なるＱｏＳを有してよい。
【００４４】
１つの実施例において、障害回復メッセージは、ＲＲＣ接続の要求又は再構築のために用いられ、障害回復メッセージは、ＲＲＣ接続を再構築するために第１のＢＳ又は第３のＢＳ（例えば、ネットワーク）によって用いられる。１つの実施例において、障害回復メッセージは、ＲＲＣ接続の少なくとも１つの信号伝達無線ベアラ（signaling  radio  bearer）（ＳＲＢ）、第１のＤＲＢ、第２のＤＲＢ及び／又は第３のＤＲＢを再設定し或いは再設定しない。ＵＥは、障害回復メッセージを受信するときに、少なくとも１つのＳＲＢ、第１のＤＲＢ、第２のＤＲＢ及び／又は第３のＤＲＢを再開する。１つの実施例において、ＵＥが障害を検出する前に第３のＤＲＢが設定されるならば、障害回復メッセージは、第３のＤＲＢを再設定し或いは再設定しない。さもなければ、障害回復メッセージは、第３のＤＲＢを設定してよい。１つの実施例において、第１のＤＲＢ、第２のＤＲＢ及び第３のＤＲＢは、異なる媒体アクセス制御（ＭＡＣ）設定、ＲＬＣ設定及び／又はＰＤＣＰ設定を有する。１つの実施例では、第２のＤＲＢを再開した後に、ＵＥは、第２のＤＲＢを通じて第２の複数のＰＤＵを送信する。
【００４５】
図４は、本発明に従ったプロセス４０のフローチャートである。障害を検出した後にデータ伝送を取り扱うために、プロセス４０がＵＥにおいて利用される。プロセス４０は、以下のステップを含む。
【００４６】
ステップ４００：開始する。
【００４７】
ステップ４０２：第１のＢＳから、第１のＤＲＢを設定する並びに第１のフローを第１のＤＲＢにマッピングするマッピングを設定する第１のＲＲＣメッセージを受信する。
【００４８】
ステップ４０４：第１のＲＲＣメッセージに応答して、第１のＤＲＢを通じて第１のフローの第１の複数のＰＤＵを第１のＢＳに送信する。
【００４９】
ステップ４０６：第１のＢＳから第２のＤＲＢを通じて第１のフロー又は第２のフローのＰＤＵを受信する。
【００５０】
ステップ４０８：ＰＤＵに応答して、第２のＤＲＢを通じて第１のフローの第２の複数のＰＤＵを第１のＢＳに送信する。
【００５１】
ステップ４１０：障害を検出し、障害は、無線リンク障害、ハンドオーバ障害、完全性チェック障害又はＲＲＣ接続再設定障害である。
【００５２】
ステップ４１２：障害に応答して、障害回復要求メッセージを第１のＢＳ又は第２のＢＳに送信する。
【００５３】
ステップ４１４：障害回復要求メッセージに応答して、第１のＢＳ又は第２のＢＳから障害回復メッセージを受信する。
【００５４】
ステップ４１６：障害の回復後、障害回復メッセージに応答して、第１のＤＲＢを通じて第１のフローの第３の複数のＰＤＵを第１のＢＳ又は第２のＢＳに送信する。
【００５５】
ステップ４１８：終了する。
【００５６】
プロセス４０の実現は、上記の記述に限定されない。以下の実施例は、プロセス４０に適用されてよい。
【００５７】
１つの実施例において、第１のＲＲＣメッセージは、マッピング設定と、ＤＲＢ設定とを含む。マッピング設定は、第１のフローが第１のＤＲＢにマッピングされることを設定する。ＤＲＢ設定は、第１のＤＲＢを設定する。
【００５８】
１つの実施例において、第１のＢＳは、第２のＤＲＢを通じて第１のフロー又は第２のフローのＰＤＵをＵＥに送信して、（もし設定されるならば）第２のＤＲＢを通じて第１のフロー又は第２のフローの第４の複数のＰＤＵを送信するようＵＥに表示する。障害が検出された後、その表示は、有効でないことがある。よって、ＵＥは、（第１のＲＲＣメッセージにおいて受信される）マッピング設定を適用して、第１のＤＲＢに第３の複数のＰＤＵを送信する。１つの実施例において、第１のフロー及び第２のフローは、第１のＲＲＣメッセージ又は第２のＲＲＣメッセージにおいて第１のＤＲＢに集められるよう、第１のＢＳによって設定される。
【００５９】
１つの実施例において、ＵＥは、障害（又は障害回復手順）に応答して、マッピング設定及びＤＲＢ設定を維持する。マッピング設定は、ＤＲＢ設定に含められても含められなくてもよい。１つの実施例において、ＵＥは、障害（又は障害回復手順）に応答して、セカンダリセル（ＳＣｅｌｌ）設定又はセカンダリセルグループ（ＳＣＧ）設定を解除する。
【００６０】
１つの実施例において、障害回復メッセージが第１のフローを第２のＤＲＢにマッピングするマッピングを設定しない（例えば、障害回復メッセージが第１のフローを第２のＤＲＢにマッピングすることを設定しない）ときに、ＵＥは、障害回復メッセージに応答して、第１のＤＲＢを通じて第１のフローの第３の複数のＰＤＵを送信する。即ち、障害回復メッセージが第１のフローを第２のＤＲＢにマッピングするマッピングを設定しないときに、ＵＥは、第１のフローから第１のＤＲＢへのマッピングを変更しない。加えて、障害回復メッセージは、第１のフローを第１のＤＲＢにマッピングするマッピングを設定しないでよく、ＵＥは、第１のＢＳ又は第２のＢＳ（例えば、ネットワーク）がＵＥに第１のフローを第１のＤＲＢにマッピングするマッピングを維持して欲しいことを知る。１つの実施例において、障害回復メッセージが第１のフローを第２のＤＲＢにマッピングするマッピングを設定するときに、ＵＥは、障害回復メッセージに応答して、第２のＤＲＢを通じて第１のフローの第３の複数のＰＤＵを送信する。
【００６１】
プロセス３０の実施例は、プロセス４０に適用されてよく、ここでは述べられない。
【００６２】
図５は、本発明の実施例に従ったプロセス５０のフローチャートである。プロセス５０は、障害の検出後にデータ伝送を取り扱うために、ＵＥにおいて利用される。プロセス５０は、以下のステップを含む。
【００６３】
ステップ５００：開始する。
【００６４】
ステップ５０２：第１のＢＳから、第１のＤＲＢを設定する並びに第１のフローを第１のＤＲＢにマッピングするマッピングを設定する第１のＲＲＣメッセージを受信する。
【００６５】
ステップ５０４：第１のＲＲＣに応答して、第１のＤＲＢを通じて第１のフローの第１の複数のＰＤＵを第１のＢＳに送信する。
【００６６】
ステップ５０６：第１のＢＳから第２のＤＲＢを通じて第１のフロー又は第２のフローのＰＤＵを受信する。
【００６７】
ステップ５０８：ＰＤＵに応答して、第２のＤＲＢを通じて第１のフローの第２の複数のＰＤＵを第１のＢＳに送信する。
【００６８】
ステップ５１０：障害を検出し、障害は、無線リンク障害、ハンドオーバ障害、完全性チェック障害又はＲＲＣ接続再設定障害である。
【００６９】
ステップ５１２：障害に応答して、障害回復要求メッセージを第１のＢＳ又は第２のＢＳに送信する。
【００７０】
ステップ５１４：障害回復要求メッセージに応答して、第１のＢＳ又は第２のＢＳから障害回復メッセージを受信する。
【００７１】
ステップ５１６：障害の回復後、障害回復メッセージに応答して、第２のＤＲＢを通じて第１のフローの第３の複数のＰＤＵを第１のＢＳ又は第２のＢＳに送信する。
【００７２】
ステップ５１８：終了する。
【００７３】
プロセス５０の実現は、上記の記述に限定されない。以下の実施例は、プロセス５０に適用されてよい。
【００７４】
１つの実施例において、第１のＲＲＣメッセージは、マッピング設定と、ＤＲＢ設定とを含む。マッピング設定は、マッピングを設定する。ＤＲＢ設定は、第１のＤＲＢを設定する。１つの実施例において、第１のＲＲＣメッセージは、第２のＤＲＢを設定する。１つの実施例において、ＵＥは、第１のＢＳから第２のＤＲＢを設定する第２のＲＲＣメッセージを受信する。
【００７５】
１つの実施例において、第１のＢＳは、第２のＤＲＢを通じて第１のフロー又は第２のフローのＰＤＵをＵＥに送信して、第２のＤＲＢを通じて（もし設定されるならば）第１のフロー及び第２のフローの第４の複数のＰＤＵを送信するようＵＥに表示する。その表示は、障害が検出された後の依然として有効である。何故ならば、第２のＢＳは、（障害回復要求メッセージを受信することに起因して）障害を検出する前に或いは障害回復メッセージを送信する前に第１のＢＳからその表示を受信するからである。１つの実施例において、第２のＢＳは、障害を検出する前に或いは障害回復メッセージを送信する前に、第１のＢＳから第１のＢＳによって更新される更新済みマッピング設定を受信し、更新済みマッピング設定は、第１のフローを第２のＤＲＢにマッピングするマッピングを設定する。ＵＥは、（受信するときに）本発明に従ってマッピング設定を更新済みマッピング設定に更新する。よって、ＵＥは、障害の回復後、その表示又は更新済みマッピング設定に従って第１のＤＲＢを通じて第１のフローの第５の複数のＰＤＵを第２のＢＳに送信する。１つの実施例において、第１のフロー及び第２のフローは、第１のＲＲＣメッセージ又は第２のＲＲＣメッセージにおいて第１のＤＲＢに集められるよう、第１のＢＳによって設定される。
【００７６】
１つの実施例において、ＵＥは、障害（又は障害回復手順）に応答して、電力制御設定及び周期的ＣＱＩ設定のうちの少なくとも一方を解除する。
【００７７】
１つの実施例において、障害回復メッセージが、第１のフローをＤＲＢにマッピングすることを表示するマッピング設定を含まないときに、ＵＥは、障害回復メッセージに応答して、第２のＤＲＢを通じて第１のフローの第３の複数のＰＤＵを送信する。即ち、障害回復メッセージがマッピング設定を含まないとき、ＵＥはマッピングを自律的に変更しない。ＵＥは、障害の回復中に（又は後に）第２のＤＲＢからのＰＤＵの受信に応答して（或いは従って）第２のＤＲＢへの第１のフローのマッピングを維持する。即ち、ＵＥは、第１のＢＳ又は第２のＢＳ（例えば、ネットワーク）がＵＥに第１のフローについてのマッピングを維持して欲しいことを知る。１つの実施例において、障害回復メッセージが、第１のフローを第３のＤＲＢにマッピングするマッピングを設定するときに、ＵＥは、障害回復メッセージに応答して、第３のＤＲＢを通じて第１のフローの第３の複数のＰＤＵを送信する。
【００７８】
プロセス３０及び４０の実施例は、プロセス５０に適用されてよく、ここでは述べられない。
【００７９】
１つの実施例において、障害回復メッセージは、ＲＲＣ接続の少なくとも１つのＳＲＢを再設定し或いは再設定しない。１つの実施例において、ＵＥは、障害回復メッセージを受信するときに、少なくとも１つのＳＲＢを再開する。第１のＢＳ又は第２のＢＳは、障害回復完了メッセージに応答して、第２のＲＲＣメッセージを送信する。１つの実施例において、第２のＲＲＣメッセージは、第１のＤＲＢを再設定し或いは再設定しない。１つの実施例において、ＵＥは、第２のＲＲＣメッセージを受信するときに、第１のＤＲＢを再開する。１つの実施例において、第２のＲＲＣメッセージは、第３のＤＲＢを再設定し或いは再設定しない。１つの実施例において、ＵＥは、第２のＲＲＣメッセージを受信するときに、第３のＤＲＢを再開する。さもなければ、第２のＲＲＣメッセージは、第３のＤＲＢを設定してよい。
【００８０】
図６は、本発明の実施例に従ったプロセス６０のフローチャートである。プロセス６０は、障害を検出した後のデータ伝送を取り扱うために、ＵＥにおいて利用される。プロセス６０は、以下のステップを含む。
【００８１】
ステップ６００：開始する。
【００８２】
ステップ６０２：第１のＢＳから、第１のＤＲＢを設定する並びに第１のフローを第１のＤＲＢにマッピングするマッピングを設定する第１のＲＲＣメッセージを受信する。
【００８３】
ステップ６０４：第１のＲＲＣメッセージに応答して、第１のＤＲＢを通じて第１のフローの第１の複数のＰＤＵを第１のＢＳに送信する。
【００８４】
ステップ６０６：障害を検出し、障害は、無線リンク障害、ハンドオーバ障害、完全性チェック障害又はＲＲＣ接続再設定障害である。
【００８５】
ステップ６０８：障害に応答して、障害回復要求メッセージを第１のＢＳ又は第２のＢＳに送信する。
【００８６】
ステップ６１０：障害回復要求メッセージに応答して、第１のＢＳ又は第２のＢＳから障害回復メッセージを受信する。
【００８７】
ステップ６１２：障害回復メッセージに応答して、障害回復完了メッセージを第１のＢＳ又は第２のＢＳに送信する。
【００８８】
ステップ６１４：障害回復完了メッセージの送信後に、第１のＢＳ又は第２のＢＳから第２のＲＲＣメッセージを受信する。
【００８９】
ステップ６１６：第２のＲＲＣメッセージに応答して、第２のＤＲＢを通じて第１のフローの第２の複数のＰＤＵを第１のＢＳ又は第２のＢＳに送信する。
【００９０】
ステップ６１８：終了する。
【００９１】
プロセス６０の実現は、上記の記述に限定されない。以下の実施例は、プロセス６０に適用されてよい。
【００９２】
１つの実施例において、第１のＲＲＣメッセージは、マッピング設定と、ＤＲＢ設定とを含む。マッピング設定は、マッピングを設定する。ＤＲＢ設定は、第１のＤＲＢを設定する。１つの実施例において、第１のＤＲＢ及び第２のＤＲＢは、異なるＱｏＳを有する。第１のＢＳによって送信される第１のＲＲＣメッセージ又は第３のＲＲＣメッセージは、障害が起こる前に、第２のＤＲＢを設定してよい。
【００９３】
１つの実施例において、ＵＥは、障害（又は障害回復手順）に応答してマッピング設定及びＤＲＢ設定を維持する。マッピング設定は、ＤＲＢ設定に含められても含められなくてもよい。１つの実施例において、ＵＥは、障害（又は障害回復手順）に応答してＳＣｅｌｌ設定又はＳＣＧ設定を解除する。
【００９４】
１つの実施例において、第２のＤＲＢは、デフォルトＤＲＢであってよい。障害回復メッセージが、第１のフローを第１のＤＲＢにマッピングするマッピングを設定しないとき、ＵＥは、第２のＲＲＣメッセージに応答して、第２のＤＲＢを通じて第１のフローの第２の複数のＰＤＵを送信する。１つの実施例では、ＵＥが第１のフローをＤＲＢにマッピングすることを表示するマッピング設定を有さないとき、ＵＥは、デフォルトＤＲＢに従って第１のフローの第２の複数のＰＤＵを送信する。即ち、ＵＥは、障害（又は障害回復手順）に応答して、マッピング設定を解除する。
【００９５】
１つの実施例において、第２のＲＲＣメッセージが、第１のフローから第１のＤＲＢ又は第３のＤＲＢへのマッピングを設定するとき、ＵＥは、第２のＲＲＣメッセージに応答して、第１のＤＲＢ又は第３のＤＲＢを通じて第１のフローの第２の複数のＰＤＵを送信する。１つの実施例において、第１のＤＲＢ及び第３のＤＲＢは、デフォルトＤＲＢでない。第１のＤＲＢ、第２のＤＲＢ及び第３のＤＲＢは、異なるＱｏＳを有してよい。
【００９６】
１つの実施例において、第１のＢＳ又は第２のＢＳは、障害回復完了メッセージに応答して、第２のＲＲＣメッセージを送信してよい。１つの実施例において、第２のＲＲＣメッセージは、第１のＤＲＢ又は第２のＤＲＢのうちの少なくとも１つを再設定してもしなくてもよい。１つの実施例において、ＵＥは、第２のＲＲＣメッセージを受信するときに、第１のＤＲＢ及び第２のＤＲＢのうちの少なくとも一方を再開する。１つの実施例において、ＵＥは、第２のＤＲＢの再開後、第２のＤＲＢを通じて第２の複数のＰＤＵを送信する。
【００９７】
プロセス３０乃至５０についての実施例は、プロセス６０に適用されてよく、ここでは述べられない。
【００９８】
図７は、本発明の実施例に従ったプロセス７０のフローチャートである。プロセス７０は、障害を検出した後のデータ伝送を取り扱うために、ＵＥにおいて利用される。プロセス７０は、以下のステップを含む。
【００９９】
ステップ７００：開始する。
【０１００】
ステップ７０２：第１のＢＳから、第１のＤＲＢを設定する並びに第１のフローを第１のＤＲＢにマッピングするマッピングを設定する第１のＲＲＣメッセージを受信する。
【０１０１】
ステップ７０４：第１のＲＲＣメッセージに応答して、第１のＤＲＢを通じて第１のフローの第１の複数のＰＤＵを第１のＢＳに送信する。
【０１０２】
ステップ７０６：第１のＢＳから第１のＤＲＢを通じて第１のフロー又は第２のフローのＰＤＵを受信する。
【０１０３】
ステップ７０８：ＰＤＵに応答して、第２のＤＲＢを通じて第１のフローの第２の複数のＰＤＵを第１のＢＳに送信する。
【０１０４】
ステップ７１０：障害を検出し、障害は、無線リンク障害、ハンドオーバ障害、完全性チェック障害又はＲＲＣ接続再設定障害である。
【０１０５】
ステップ７１２：障害に応答して、障害回復要求メッセージを第１のＢＳ又は第２のＢＳに送信する。
【０１０６】
ステップ７１４：障害回復要求メッセージに応答して、第１のＢＳ又は第２のＢＳから故障回復メッセージを受信する。
【０１０７】
ステップ７１６：障害回復メッセージに応答して、障害回復完了メッセージを第１のＢＳ又は第２のＢＳに送信する。
【０１０８】
ステップ７１８：障害完了メッセージの送信後、第１のＢＳ又は第２のＢＳから第２のＲＲＣメッセージを受信する。
【０１０９】
ステップ７２０：第２のＲＲＣメッセージに応答して、第１のＤＲＢを通じて第１のフローの第３の複数のＰＤＵを第１のＢＳ又は第２のＢＳに送信する。
【０１１０】
ステップ７２２：完了する。
【０１１１】
プロセス７０の実現は、上記の記述に限定されない。以下の実施例は、プロセス７０に適用されてよい。
【０１１２】
１つの実施例において、第１のＲＲＣメッセージは、マッピング設定と、ＤＲＢ設定とを含む。１つの実施例において、第１のＤＲＢ及び第２のＤＲＢは、異なるＱｏＳを有する。第１のＢＳによって送信される第１のＲＲＣメッセージ又は第３のＲＲＣメッセージは、障害が起こる前に、第２のＤＲＢを設定してよい。
【０１１３】
１つの実施例において、ＵＥは、障害（又は障害回復手順）に従って、マッピング設定及びＤＲＢ設定を維持する。マッピング設定は、ＤＲＢ設定に含められても含められなくてもよい。１つの実施例において、ＵＥは、障害（又は障害回復手順）に応答してＳＣｅｌｌ設定又はＳＣＧ設定を解除する。
【０１１４】
１つの実施例において、第１のＢＳは、第２のＤＲＢを通じて第１のフロー又は第２のフローのＰＤＵをＵＥに送信して、第２のＤＲＢを通じて（もし構成されるならば）第１のフロー又は第２のフローの第４の複数のＰＤＵを送信するようＵＥに表示する。１つの実施例において、ＵＥは、障害（又は障害回復手順）に応答して、その表示を解除する。第１のＢＳは、第２のＢＳにその表示を送信してもしなくてもよい。
【０１１５】
１つの実施例において、第２のＲＲＣメッセージがマッピングを変更しないとき、ＵＥは、第１のＤＲＢを通じて第１のフローの第３の複数のＰＤＵを送信する。１つの実施例において、第２のＲＲＣメッセージが、第１のフローを第３のＤＲＢにマッピングするマッピングを設定するとき、ＵＥは、第２のＲＲＣメッセージに応答して、第３のＤＲＢを通じて第１のフローの第３の複数のＰＤＵを送信する。１つの実施例において、第１のＤＲＢ及び第３のＤＲＢは、デフォルトＤＲＢでない。第１のＤＲＢ、第２のＤＲＢ及び第３のＤＲＢは、異なるＱｏＳを有してよい。
【０１１６】
１つの実施例において、第１のＢＳ又は第２のＢＳは、障害回復完了メッセージに応答して、第２のＲＲＣメッセージを送信してよい。１つの実施例において、第２のＲＲＣメッセージは、第１のＤＲＢ及び第２のＤＲＢのうちの少なくとも１つを再設定し或いは再設定しない。１つの実施例において、ＵＥは、第２のＲＲＣメッセージを受信するときに、第１のＤＲＢ及び第２のＤＲＢのうちの少なくとも一方を再開する。１つの実施例において、ＵＥは、第２のＤＲＢの再開後、第２のＤＲＢを通じて第３の複数のＰＤＵを送信する。
【０１１７】
プロセス３０乃至６０の実施例は、プロセス７０に適用されてよく、ここでは述べられない。
【０１１８】
図８は、本発明の実施例に従ったプロセス８０のフローチャートである。プロセス８０は、障害の検出後のデータ伝送を取り扱うために、ＵＥにおいて利用される。プロセス８０は、以下のステップを含む。
【０１１９】
ステップ８００：開始する。
【０１２０】
ステップ８０２：第１のＢＳから、第１のＤＲＢを設定する並びに第１のフローを第１のＤＲＢにマッピングするマッピングを設定する第１のＲＲＣメッセージを受信する。
【０１２１】
ステップ８０４：第１のＲＲＣメッセージに応答して、第１のＤＲＢを通じて第１のフローの第１の複数のＰＤＵを第１のＢＳに送信する。
【０１２２】
ステップ８０６：第１のＢＳから第２のＤＲＢを通じて第１のフロー又は第２のフローのＰＤＵを受信する。
【０１２３】
ステップ８０８：ＰＤＵに応答して、第２のＤＲＢを通じて第１のフローの第２の複数のＰＤＵを第１のＢＳに送信する。
【０１２４】
ステップ８１０：障害を検出し、障害は、無線リンク障害、ハンドオーバ障害、完全性チェック障害又はＲＲＣ接続再設定障害である。
【０１２５】
ステップ８１２：障害に応答して、障害回復要求メッセージを第１のＢＳ又は第２のＢＳに送信する。
【０１２６】
ステップ８１４：障害回復要求メッセージに応答して、第１のＢＳ又は第２のＢＳから障害回復メッセージを受信する。
【０１２７】
ステップ８１６：障害回復メッセージに応答して、障害回復完了メッセージを第１のＢＳ又は第２のＢＳに送信する。
【０１２８】
ステップ８１８：障害回復完了メッセージの送信後、第１のＢＳ又は第２のＢＳから第２のＲＲＣメッセージを受信する。
【０１２９】
ステップ８２０：第２のＲＣＣメッセージに応答して、第２のＤＲＢを通じて第１のフローの第３の複数のＰＤＵを第１のＢＳ又は第２のＢＳに送信する。
【０１３０】
ステップ８２２：終了する。
【０１３１】
プロセス８０の実現は、上記の記述に限定されない。以下の実施例は、プロセス８０に適用されてよい。
【０１３２】
１つの実施例において、第１のＢＳは、第２にＤＲＢを通じて第１のフロー又は第２のフローのＰＤＵをＵＥに送信して、第２のＤＲＢを通じて（もし設定されるならば）第１のフロー及び第２のフローの第４の複数のＰＤＵを送信するようＵＥに表示する。その表示は、障害の検出後に依然として有効であってよい。何故ならば、第２のＢＳは、第１のＢＳからその表示を受信するからである。１つの実施例において、第２のＢＳは、第１のＢＳから第１のＢＳによって更新される更新済みマッピング設定を受信し、更新済みマッピング設定は、第１のフローを第２のＤＲＢにマッピングするマッピングを設定する。ＵＥは、その表示に従ってマッピング設定を更新済みマッピング設定に更新する。よって、ＵＥは、第２のＲＲＣメッセージに応答して、その表示に又は更新済みマッピング設定に従って第１のＤＲＢを通じて第１のフローの第５の複数のＰＤＵを第２のＢＳに送信する。１つの実施例において、第１のフロー及び第２のフローは、第１のＲＲＣメッセージ又は第２のＲＲＣメッセージにおいて同じＤＲＢに集められるよう、第１のＢＳによって設定される。
【０１３３】
１つの実施例において、第２のＲＲＣメッセージが、第１のフローを第３のＤＲＢにマッピングするマッピングを設定するとき、ＵＥは、第２のＲＲＣメッセージに応答して、第３のＤＲＢを通じて第１のフローの第３の複数のＰＤＵを送信する。１つの実施例において、第１のＤＲＢ及び第３のＤＲＢは、デフォルトＤＲＢでない。第１のＤＲＢ、第２のＤＲＢ及び第３のＤＲＢは、異なるＱｏＳを有してよい。
【０１３４】
１つの実施例において、障害回復メッセージは、ＲＲＣメッセージの少なくとも１つのＳＲＢを再設定し或いは再設定しない。１つの実施例において、ＵＥは、障害回復メッセージを受信するときに、少なくとも１つのＳＲＢを再開する。第１のＢＳ又は第２のＢＳは、障害回復完了メッセージに応答して第２のＲＲＣメッセージを送信してよい。１つの実施例において、第２のＲＲＣメッセージは、第１のＤＲＢ及び第２のＤＲＢのうちの少なくとも一方を再設定し或いは再設定しない。ＵＥは、第２のＲＲＣメッセージを受信するときに、第１のＤＲＢ及び第２のＤＲＢのうちの少なくとも一方を再開する。１つの実施例において、ＵＥは、第２のＤＲＢの再開後、第２のＤＲＢを通じて第３の複数のＰＤＵを送信する。
【０１３５】
プロセス８０についての実施例をプロセス３０乃至７０に関する前の記述に参照してよく、ここでは述べられない。
【０１３６】
図９は、本発明の実施例に従ったプロセス９０のフローチャートである。プロセス９０は、ＵＥにデータを送信するために、第１のＢＳ及び第２のＢＳのうちの少なくとも一方を含む図１のネットワークにおいて利用される。プロセス９０は、以下のステップを含む。
【０１３７】
ステップ９００：開始する。
【０１３８】
ステップ９０２：第１のＤＲＢを設定する並びに第１のフローを第１のＤＲＢにマッピングするマッピングを設定する第１のＲＲＣメッセージをＵＥに送信する。
【０１３９】
ステップ９０４：第１のＲＲＣメッセージに応答して、第１のＤＲＢを通じて第１のフローの第１の複数のＰＤＵをＵＥと通信させる。
【０１４０】
ステップ９０６：ＵＥから障害回復要求メッセージを受信する。
【０１４１】
ステップ９０８：障害回復要求メッセージに応答して、障害回復メッセージをＵＥに送信する。
【０１４２】
ステップ９１０：障害回復メッセージに応答して、ＵＥから障害回復完了メッセージを受信する。
【０１４３】
ステップ９１２：障害回復メッセージに応答して、第２のＤＲＢを通じて第１のフローの第２の複数のＰＤＵをＵＥと通信させる。
【０１４４】
ステップ９１４：完了する。
【０１４５】
プロセス９０によれば、ネットワーク（即ち、第１のＢＳ）は、第１のＤＲＢを設定する第１のフローを第１のＤＲＢにマッピングするマッピングを設定する第１のＲＲＣメッセージをＵＥに送信する。次に、ネットワーク（即ち、第１のＢＳ）は、第１のＲＲＣメッセージに応答して、第１のＤＲＢを通じて第１のフローの第１の複数のＰＤＵをＵＥと通信させる（例えば、ＵＥに送信し或いはＵＥから受信する）。ネットワーク（即ち、第１のＢＳ及び第２のＢＳのうちの一方）は、ＵＥから障害回復要求メッセージを受信し、障害回復要求メッセージに応答してＵＥに障害回復メッセージを送信し、そして、障害回復メッセージに応答してＵＥから障害回復完了メッセージを受信する。次に、ネットワーク（即ち、第１のＢＳ及び第２のＢＳのうちの一方）は、障害回復メッセージ（又は障害回復完了メッセージ）に応答して、第２のＤＲＢを通じて第１のフローの第２の複数のＰＤＵをＵＥと通信させる。
【０１４６】
プロセス９０の実現は、上記の記述に限定されない。以下の実施例は、プロセス９０に適用されてよい。
【０１４７】
１つの実施例において、第１のＲＲＣメッセージは、上述のように、マッピング設定と、ＤＲＢ設定とを含む。
【０１４８】
１つの実施例において、ネットワークは、障害（又は障害回復手順）に応答して、電力制御設定及び周期的ＣＱＩ設定のうちの１つを解除する。
【０１４９】
１つの実施例において、ネットワークは、障害（又は障害回復手順）に応答して、ＤＲＢ設定を維持する。１つの実施例において、マッピング設定がＤＲＢ設定に含まれるならば、ネットワークは、マッピング設定を解除し、ＤＲＢ設定における少なくとも１つの設定（例えば、ＤＲＢアイデンティティ、ＲＬＣ設定等）を維持する。１つの実施例において、マッピング設定がＰＤＣＰ設定に含まれるならば、ネットワークは、マッピング設定を解除し、ＰＤＣＰ設定における少なくとも１つの設定を維持する。
【０１５０】
１つの実施例において、ＵＥは、障害を検出する前に、（複数の）ＵＬ伝送及び（複数の）ＤＬ伝送のうちの少なくとも一方をスケジュールするためにネットワークによって送信される制御チャネルをモニタリングする識別子（例えば、ＲＮＴＩ）を用いて設定される。ネットワークは、障害（又は障害回復手順）に応答してＵＥについての識別子を維持してより。
【０１５１】
１つの実施例において、第２のＤＲＢは、デフォルトＤＲＢであってよい。１つの実施例において、障害回復メッセージが、第１のフローを第１のＤＲＢにマッピングするマッピングを設定しないとき、ネットワークは、第２のＤＲＢを通じて第１のフローの第２の複数のＰＤＵを送信する。１つの実施例において、ネットワークが、第１のフローをＤＲＢにマッピングすることを表示するマッピング設定を有さないとき、ネットワークは、デフォルトＤＲＢに従って第１のフローの第２の複数のＰＤＵを送信する。即ち、ネットワークは、障害（又は障害回復手順）に応答してマッピング設定を解除する。
【０１５２】
１つの実施例において、障害回復メッセージが、第１のフローを第１のＤＲＢ又は第３のＤＲＢにマッピングするマッピングを設定しないとき、ネットワークは、障害回復メッセージに応答して、第１のＤＲＢ又は第３のＤＲＢを通じて第１のフローの第２の複数のＰＤＵを送信する。
【０１５３】
プロセス３０の実施例は、プロセス９０に適用されてよく、ここでは述べられない。
【０１５４】
図１０は、本発明の実施例に従ったプロセス１００のフローチャートである。プロセス１００は、ＵＥにデータを伝送するために、第１のＢＳ及び第２のＢＳのうちの少なくとも一方を含む図１のネットワークにおいて利用される。プロセス１００は、以下のステップを含む。
【０１５５】
ステップ１０００：開始する。
【０１５６】
ステップ１００２：第１のＤＲＢを設定する並びに第１のフローを第１のＤＲＢにマッピングするマッピングを設定する第１のＲＲＣメッセージをＵＥに送信する。
【０１５７】
ステップ１００４：第１のＲＲＣメッセージに応答して、第１のＤＲＢを通じて第１のフローの第１の複数のＰＤＵをＵＥと通信させる。
【０１５８】
ステップ１００６：第２のＤＲＢを通じて第１のフロー又は第２のフローのＰＤＵをＵＥに送信する。
【０１５９】
ステップ１００８：ＰＤＵに応答して、第２のＤＲＢを通じて第１のフローの第２の複数のＰＤＵをＵＥと通信させる。
【０１６０】
ステップ１０１０：障害回復要求メッセージをＵＥから受信する。
【０１６１】
ステップ１０１２：障害回復要求メッセージに応答して、障害回復メッセージをＵＥに送信する。
【０１６２】
ステップ１０１４：障害回復メッセージに応答して、障害回復完了メッセージをＵＥから受信する。
【０１６３】
ステップ１０１６：障害回復メッセージに応答して、第１のＤＲＢを通じて第１のフローの第３の複数のＰＤＵをＵＥと通信させる。
【０１６４】
ステップ１０１８：終了する。
【０１６５】
プロセス１００によれば、ネットワーク（即ち、第１のＢＳ）は、第１のＤＲＢを設定する並びに第１のフローを第１のＤＲＢにマッピングするマッピングを設定する第１のＲＲＣメッセージをＵＥに送信する。次に、ネットワーク（即ち、第１のＢＳ）は、第１のＲＲＣメッセージに応答して、第１のＤＲＢを通じて第１のフローの第１の複数のＰＤＵをＵＥと通信させる（例えば、ＵＥに送信し或いはＵＥから受信する）。ネットワーク（即ち、第１のＢＳ）は、第２のＤＲＢを通じて第１のフロー又は第２のフローのＰＤＵをＵＥに送信する。ネットワーク（即ち、第１のＢＳ）は、ＰＤＵに応答して、第２のＤＲＢを通じて第１のフローの第２の複数のＰＤＵをＵＥと通信させる。ネットワーク（すなわち、第１のＢＳ及び第２のＢＳのうちの一方）は、ＵＥから障害回復要求メッセージを受信し、障害回復要求メッセージに応答して障害回復メッセージをＵＥに送信し、そして、障害回復メッセージに応答してＵＥから障害回復完了メッセージを受信する。次に、ネットワーク（即ち、第１のＢＳ及び第２のＢＳのうちの一方）は、障害回復メッセージ（又は障害回復完了メッセージ）に応答して第１のＤＲＢを通じて第１のフローの第３の複数のＰＤＵをＵＥと通信させる。
【０１６６】
プロセス４０の実施例は、プロセス１００に適用されてよく、ここでは述べられない。
【０１６７】
図１１は、本発明の実施例に従ったプロセス１１０のフローチャートである。プロセス１１０は、ＵＥにデータを伝送するために、第１のＢＳ及び第２のＢＳのうちの少なくとも一方を含む図１のネットワークにおいて利用される。プロセス１１０は、以下のステップを含む。
【０１６８】
ステップ１１００：開始する。
【０１６９】
ステップ１１０２：第１のＤＲＢを設定する並びに第１のフローを第１のＤＲＢにマッピングするマッピングを設定する第１のＲＲＣメッセージをＵＥに送信する。
【０１７０】
ステップ１１０４：第１のＲＲＣメッセージに応答して、第１のＤＲＢを通じて第１のフローの第１の複数のＰＤＵをＵＥと通信させる。
【０１７１】
ステップ１１０６：第２のＤＲＢを通じて第１のフロー又は第２のフローのＰＤＵをＵＥに送信する。
【０１７２】
ステップ１１０８：ＰＤＵに応答して、第２のＤＲＢを通じて第１のフローの第２の複数のＰＤＵをＵＥと通信させる。
【０１７３】
ステップ１１１０：障害回復要求メッセージをＵＥから受信する。
【０１７４】
ステップ１１１２：障害回復要求メッセージに応答して、障害回復メッセージをＵＥに送信する。
【０１７５】
ステップ１１１４：障害回復メッセージに応答して、障害回復完了メッセージをＵＥから受信する。
【０１７６】
ステップ１１１６：障害回復メッセージに応答して、第２のＤＲＢを通じて第１のフローの第３の複数のＰＤＵをＵＥと通信させる。
【０１７７】
ステップ１１１８：終了する。
【０１７８】
プロセス１１０によれば、ネットワーク（即ち、第１のＢＳ）は、第１のＤＲＢを設定する並びに第１のフローを第１のＤＲＢにマッピングするマッピングを設定するＲＲＣメッセージをＵＥに送信する。次に、ネットワーク（即ち、第１のＢＳ）は、第１のＲＲＣメッセージに応答して、第１のＤＲＢを通じて第１のフローの第１の複数のＰＤＵをＵＥと通信させる（例えば、ＵＥに送信し或いはＵＥから受信する）。ネットワーク（即ち、第１のＢＳ）は、第２のＤＲＢを通じて第１のフロー又は第２のフローのＰＤＵをＵＥに送信する。ネットワーク（即ち、第１のＢＳ）は、ＰＤＵに応答して、第２のＤＲＢを通じて第１のフローの第２の複数のＰＤＵをＵＥと通信させる。ネットワーク（即ち、第１のＢＳ及び第２のＢＳのうちの一方）は、ＵＥから障害回復要求メッセージを受信し、障害回復要求メッセージに応答してＵＥに障害回復メッセージを送信し、そして、障害回復メッセージに応答してＵＥから障害回復完了メッセージを受信する。次に、ネットワーク（即ち、第１のＢＳ及び第２のＢＳのうちの一方）は、障害回復完了メッセージ（又は障害回復完了メッセージ）に応答して第２のＤＲＢを通じて第１のフローの第３の複数のＰＤＵをＵＥと通信させる。
【０１７９】
プロセス５０の実施例は、プロセス１１０に適用されてよく、ここでは述べられない。
【０１８０】
図１２は、本発明の実施例に従ったプロセス１２０のフローチャートである。プロセス１２０は、ＵＥにデータを伝送するために、第１のＢＳ及び第２のＢＳのうちの少なくとも一方を含む図１のネットワークにおいて利用される。プロセス１２０は、以下のステップを含む。
【０１８１】
ステップ１２００：開始する。
【０１８２】
ステップ１２０２：第１のＤＲＢを設定する並びに第１のフローを第１のＤＲＢにマッピングするマッピングを設定する第１のＲＲＣメッセージをＵＥに送信する。
【０１８３】
ステップ１２０４：第１のＲＲＣメッセージに応答して、第１のＤＲＢを通じて第１のフローの第１の複数のＰＤＵをＵＥと通信させる。
【０１８４】
ステップ１２０６：障害回復要求メッセージをＵＥから受信する。
【０１８５】
ステップ１２０８：障害回復要求メッセージに応答して、障害回復メッセージをＵＥに送信する。
【０１８６】
ステップ１２１０：障害回復メッセージに応答して、障害回復完了メッセージをＵＥから受信する。
【０１８７】
ステップ１２１２：障害回復完了メッセージに応答して、第２のＲＲＣメッセージを送信する。
【０１８８】
ステップ１２１４：第２のＲＲＣメッセージに応答して、第２のＤＲＢを通じて第１のフローの第２の複数のＰＤＵをＵＥと通信させる。
【０１８９】
ステップ１２１６：終了する。
【０１９０】
プロセス１２０によれば、ネットワーク（即ち、第１のＢＳ）は、第１のＤＲＢを設定する並びに第１のフローを第１のＤＲＢにマッピングするマッピングを設定する第１のＲＣＣメッセージをＵＥに送信する。次に、ネットワーク（即ち、第１のＢＳ）は、第１のＲＲＣメッセージに応答して、第１のＤＲＢを通じて第１のフローの第１の複数のＰＤＵをＵＥに通信させる（例えば、ＵＥに送信し或いはＵＥから受信する）。ネットワーク（即ち、第１のＢＳ及び第２のＢＳのうちの一方）は、ＵＥから障害回復要求メッセージを受信し、障害回復要求メッセージに応答して障害回復メッセージをＵＥに送信し、そして、障害回復メッセージに応答してＵＥから障害回復完了メッセージを受信する。ネットワーク（即ち、第１のＢＳ及び第２のＢＳのうちの一方）は、障害回復完了メッセージに応答して第２のＲＲＣメッセージを送信する。次に、ネットワーク（即ち、第１のＢＳ及び第２のＢＳのうちの一方）は、第２のＲＲＣメッセージに応答して第２のＤＲＢを通じて第１のフローの第２の複数のＰＤＵをＵＥと通信させる。
【０１９１】
プロセス１２０の実現は、上記の記述に限定されない。以下の実施例は、プロセス１２０に適用されてよい。
【０１９２】
１つの実施例において、第１のＲＲＣメッセージは、マッピング設定と、ＤＲＢ設定とを含む。１つの実施例において、第１のＤＲＢ及び第２のＤＲＢは、異なるＱｏＳを有する。
【０１９３】
１つの実施例において、ネットワークは、障害（又は障害回復手順）に応答して、電力制御設定及び定期的ＣＱＩ設定のうちの少なくとも１つを解除する。
【０１９４】
１つの実施例において、ネットワークは、障害（又は障害回復手順）に応答して、ＤＲＢ設定を維持する。１つの実施例において、ネットワークは、マッピング設定がＤＲＢ設定に含まれるならば、マッピング設定を解除し、ＤＲＢ設定における少なくとも１つの設定（例えば、ＤＲＢアイデンティティ、ＲＬＣ設定等）を維持する。１つの実施例において、ネットワークは、マッピング設定がＰＤＣＰ設定に含まれるならば、マッピング設定を解除し、ＰＤＣＰ設定における少なくとも１つの設定を維持する。
【０１９５】
１つの実施例において、ＵＥは、障害の検出前に、（複数の）ＵＬ伝送及び（複数の）ＤＬ伝送のうちの少なくとも一方をスケジュールするためにネットワークによって送信される制御チャネルをモニタリングする識別子（例えば、ＲＮＴＩ）で設定される。ネットワークは、障害（又は障害回復手順）に応答して、ＵＥについての識別子を維持してよい。
【０１９６】
１つの実施例において、第２のＤＲＢは、デフォルトＤＲＢであってよい。デフォルトＤＲＢは、障害の検出前に、ＵＥに送信される第１のＲＲＣメッセージ又は第３のＲＲＣメッセージにおいて構成されてよい。１つの実施例において、障害回復メッセージが、第１のフローを第１のＤＲＢにマッピングするマッピングを設定しないとき、ネットワークは、第２のＤＲＢを通じて第１のフローの第２の複数のＰＤＵを送信する。１つの実施例において、ネットワークが、第１のフローをＤＲＢにマッピングすることを表示するマッピング設定を有さないとき、ネットワークは、デフォルトＤＲＢに従って第１のフローの第２の複数のＰＤＵを送信する。即ち、ネットワークは、障害（又は障害回復手順）に応答して、マッピング設定を解除する。
【０１９７】
１つの実施例において、障害回復メッセージが、第１のフローを第１のＤＲＢ又は第３のＤＲＢにマッピングするマッピングを設定するとき、ネットワークは、障害回復メッセージに応答して、第１のＤＲＢ又は第３のＤＲＢを通じて第１のフローの第２の複数のＰＤＵを送信する。１つの実施例において、第１のＤＲＢ及び第３のＤＲＢは、デフォルトＤＲＢでない。第１のＤＲＢ、第２のＤＲＢ及び第３のＤＲＢは、異なるＱｏＳを有する。
【０１９８】
プロセス６０の実施例は、プロセス１２０に適用されてよく、ここでは述べられない。
【０１９９】
図１３は、本発明の実施例に従ったプロセス１３０のフローチャートである。プロセス１３０は、ＵＥにデータを伝送するために、第１のＢＳ及び第２のＢＳのうちの少なくとも一方を含む図１のネットワークにおいて利用される。プロセス１３０は、以下のステップを含む。
【０２００】
ステップ１３００：開始する。
【０２０１】
ステップ１３０２：第１のＤＲＢを設定する並びに第１のフローを第１のＤＲＢにマッピングするマッピングを設定する第１のＲＲＣメッセージをＵＥに送信する。
【０２０２】
ステップ１３０４：第１のＲＲＣメッセージに応答して、第１のＤＲＢを通じて第１のフローの第１の複数のＰＤＵをＵＥと通信させる。
【０２０３】
ステップ１３０６：第２のＤＲＢを通じて第１のフロー又は第２のフローのＰＤＵをＵＥに送信する。
【０２０４】
ステップ１３０８：ＰＤＵに応答して、第２のＤＲＢを通じて第１のフローの第２の複数のＰＤＵをＵＥと通信させる。
【０２０５】
ステップ１３１０：障害回復要求メッセージをＵＥから受信する。
【０２０６】
ステップ１３１２：障害回復要求メッセージに応答して、障害回復メッセージをＵＥに送信する。
【０２０７】
ステップ１３１４：障害回復メッセージに応答して、障害回復完了メッセージをＵＥから受信する。
【０２０８】
ステップ１３１６：障害回復完了メッセージに応答して、第２のＲＲＣメッセージを送信する。
【０２０９】
ステップ１３１８：第２のＲＲＣメッセージに応答して、第１のＤＲＢを通じて第１のフローの第３の複数のＰＤＵをＵＥと通信させる。
【０２１０】
ステップ１３２０：終了する。
【０２１１】
プロセス１３０によれば、ネットワーク（即ち、第１のＢＳ）は、第１のＤＲＢを設定する並びに第１のフローを第１のＤＲＢにマッピングするマッピングを設定する第１のＲＲをＵＥに送信する。次に、ネットワーク（即ち、第１のＢＳ）は、第１のＲＲＣメッセージに応答して、第１のＤＲＢを通じて第１のフローの第１の複数のＰＤＵをＵＥと通信させる（例えば、ＵＥに送信し或いはＵＥから受信する）。ネットワーク（即ち、第１のＢＳ）は、第２のＤＲＢを通じて第１のフロー又は第２のフローのＰＤＵをＵＥに送信する。ネットワーク（即ち、第１のＢＳ）は、ＰＤＵに応答して、第２のＤＲＢを通じて第１のフローの第２の複数のＰＤＵをＵＥと通信させる。ネットワーク（即ち、第１のＢＳ及び第２のＢＳのうちの一方）は、障害回復要求メッセージをＵＥから受信し、障害回復要求メッセージに応答して障害回復メッセージをＵＥに送信し、そして、障害回復メッセージに応答して障害回復完了メッセージをＵＥから受信する。ネットワーク（即ち、第１のＢＳ及び第２のＢＳのうちの一方）は、障害回復完了メッセージに応答して第２のＲＲＣメッセージを送信する。次に、ネットワーク（即ち、第１のＢＳ及び第２のＢＳのうちの一方）は、第２のＲＲＣメッセージに応答して第１のＤＲＢを通じて第１のフローの第３の複数のＰＤＵをＵＥと通信させる。
【０２１２】
プロセス１３０の実現は、上記の記述に限定されない。以下の実施例は、プロセス１３０に適用されてよい。
【０２１３】
１つの実施例において、第１のＢＳは、第２のＤＲＢを通じて第１のフロー又は第２のフローのＰＤＵをＵＥに送信して、第２のＤＲＢを通じて（もし設定されるならば）第１のフロー及び第２のフローの第４の複数のＰＤＵを送信するようＵＥに表示する。障害の回復後、その表示は有効でない。何故ならば、第２のＢＳは、その表示に気付かないからである。即ち、第１のＢＳは、その表示を第２のＢＳに送信しない。よって、ＵＥ及びネットワークは、マッピング設定に従って第１のＤＲＢに第５の複数のＰＤＵを送信する。１つの実施例において、第１のフロー及び第２のフローは、第１のＲＲＣメッセージ又は第３のＲＲＣメッセージにおける同じＤＲＢに集められるよう、第１のＢＳによって設定される。
【０２１４】
プロセス７０の実施例は、プロセス１３０に適用されてよく、ここでは述べられない。
【０２１５】
図１４は、本発明の実施例に従ったプロセス１４０のフローチャートである。プロセス１４０は、ＵＥにデータを伝送するために、第１のＢＳ及び第２のＢＳのうちの少なくとも一方を含む図１のネットワークにおいて利用される。プロセス１４０は、以下のステップを含む。
【０２１６】
ステップ１４００：開始する。
【０２１７】
ステップ１４０２：第１のＤＲＢを設定する並びに第１のフローを第１のＤＲＢにマッピングするマッピングを設定する第１のＲＲＣメッセージをＵＥに送信する。
【０２１８】
ステップ１４０４：第１のＲＲＣメッセージに応答して、第１のＤＲＢを通じて第１のフローの第１の複数のＰＤＵをＵＥと通信させる。
【０２１９】
ステップ１４０６：第２のＤＲＢを通じて第１のフロー又は第２のフローのＰＤＵをＵＥに送信する。
【０２２０】
ステップ１４０８：ＰＤＵに応答して、第２のＤＲＢを通じて第１のフローの第２の複数のＰＤＵをＵＥと通信させる。
【０２２１】
ステップ１４１０：障害回復要求メッセージをＵＥから受信する。
【０２２２】
ステップ１４１２：障害回復要求メッセージに応答して、障害回復メッセージをＵＥに送信する。
【０２２３】
ステップ１４１４：障害回復メッセージに応答して、障害回復完了メッセージをＵＥから受信する。
【０２２４】
ステップ１４１６：障害回復完了メッセージに応答して、第２のＲＲＣメッセージを送信する。
【０２２５】
ステップ１４１８：第２のＲＲＣメッセージに応答して、第２のＤＲＢを通じて第１のフローの第３の複数のＰＤＵをＵＥと通信させる。
【０２２６】
ステップ１４２０：終了する。
【０２２７】
プロセス１４０によれば、ネットワーク（即ち、第１のＢＳ）は、第１のＤＲＢを設定する並びに第１のフローを第１のＤＲＢにマッピングするマッピングを設定する第１のＲＲＣメッセージをＵＥに送信する。次に、ネットワーク（即ち、第１のＢＳ）は、第１のＲＲＣメッセージに応答して、第１のＤＲＢを通じて第１のフローの第１の複数のＰＤＵをＵＥと通信させる（例えば、ＵＥに送信し或いはＵＥから受信する）。ネットワーク（即ち、第１のＢＳ）は、第２のＤＲＢを通じて第１のフロー又は第２のフローのＰＤＵをＵＥに送信する。ネットワーク（即ち、第１のＢＳ）は、ＰＤＵに応答して、第２のＤＲＢを通じて第１のフローの第２の複数のＰＤＵをＵＥと通信させる。ネットワーク（即ち、第１のＢＳ及び第２のＢＳのうちの一方）は、障害回復要求メッセージをＵＥから受信し、障害回復要求メッセージに応答して障害回復メッセージをＵＥに送信し、そして、障害回復メッセージに応答して障害回復完了メッセージをＵＥから受信する。ネットワーク（即ち、第１のＢＳ及び第２のＢＳのうちの一方）は、障害回復完了メッセージに応答して第２のＲＲＣメッセージを送信する。次に、ネットワーク（即ち、第１のＢＳ及び第２のＢＳのうちの一方）は、第２のＲＲＣに応答して第２のＤＲＢを通じて第１のフローの第３の複数のＰＤＵをＵＥと通信させる。
【０２２８】
プロセス１４０の実現は、上記の記述に限定されない。以下の実施例は、プロセス１４０に適用されてよい。
【０２２９】
１つの実施例において、第１のＢＳは、第２のＤＲＢを通じて第１のフロー又は第２のフローのＰＤＵをＵＥに送信して、第２のＤＲＢを通じて（もし設定されるならば）第１のフロー及び第２のフローの第４の複数のＰＤＵを送信するようＵＥに表示する。その表示は、障害の回復後に依然として有効である。何故ならば、ＢＳは、第１のＢＳからその表示を受信するからである。１つの実施例において、第２のＢＳは、第１のＢＳから第１のＢＳによって更新される更新済みマッピング設定を受信し、更新済みマッピング設定は、第１のフローを第２のＤＲＢにマッピングするマッピングを設定する。ＵＥは、マッピング設定をその表示に従った更新済みマッピング設定に更新する。よって、ＵＥ及びネットワークは、障害の回復後に、その表示又は更新済みマッピング設定に従って第２のＤＲＢを通じて第１のフローの第５の複数のＰＤＵを第２のＢＳに送信する。１つの実施例において、第１のフロー及び第２のフローは、第１のＲＲＣメッセージ又は第３のＲＲＣメッセージにおいて同じＤＲＢに集められるよう、第１のＢＳによって設定される。
【０２３０】
プロセス８０の実施例は、プロセス１４０に適用されてよく、ここでは述べられない。
【０２３１】
プロセス３０乃至１４０の実現は、上記の記述に限定されない。以下の実施例は、プロセス３０乃至１４０に適用されてよい。
【０２３２】
１つの実施例において、障害回復要求メッセージは、RRCConnectionReestablishmentメッセージであり、障害回復メッセージは、RRCConnectionReestablishmentメッセージであり、障害回復完了メッセージは、RRCConnectionReestablishmentCompleteメッセージである。１つの実施例において、障害回復要求メッセージは、RRCConnectionResumeRequestメッセージであり、障害回復メッセージは、RRCConnectionResumeメッセージであり、障害回復完了メッセージは、RRCConnectionResumeCompleteメッセージである。１つの実施例において、障害回復要求メッセージは、RRCConnectionRequestメッセージであり、障害回復メッセージは、RRCConnectionSetupメッセージであり、障害回復完了メッセージは、RRCConnectionSetupCompleteメッセージである。
【０２３３】
１つの実施例において、ＰＤＵは、ＰＤＣＰ  ＰＤＵである。ＰＤＣＰ  ＰＤＵは、第１のフロー（例えば、ＱｏＳフロー又はＩＰフロー）のためにネットワークによって割り当てられるフローアイデンティティ（例えば、ＱｏＳフローアイデンティティ）及びＰＤＣＰサービスデータユニット（ＳＤＵ）を含む。フローアイデンティティは、マッピング設定中にある。ＰＤＣＰ  ＰＤＵは、ＩＰパケットを含む。ＰＤＣＰ  ＰＤＵを受信するとき、ＵＥは、フローアイデンティティに従ったフローに属するＰＤＣＰ  ＰＤＵに含められるＰＤＣＰ  ＳＤＵを知る（或いは決定する）。
【０２３４】
１つの実施例において、ＰＤＣＰ設定は、シーケンス番号の大きさ(sequence  number  size)、廃棄タイマ値(discard  timer  value)、ＲＬＣ承認(RLC  acknowledged  mode)を用いること及びＲＬＣ未承認モード(RLC  unacknowledged  mode)のうちの少なくとも１つを含む。１つの実施例において、ＤＲＢ設定は、ＤＲＢアイデンティティ、ＩＰフローアイデンティティ、ＱｏＳフローアイデンティティ、ＰＤＣＰ設定及びＲＬＣ設定のうちの少なくとも１つを含む。
【０２３５】
１つの実施例において、フロー（例えば、第１のフロー又は第２のフロー）は、ＱｏＳフローアイデンティティによって特定されるＱｏＳフローであってよい。１つの実施例において、フローは、ソースＩＰアドレス及び／又は目的地ＩＰアドレスによって特定される、ソースＩＰアドレス、目的地ＩＰアドレス及び／又はレイヤー４プロトコル（例えば、インターネット制御通知プロトコル（ＩＣＭＰ））によって特定される、或いは５タブル(5  tuples)、即ち、ソースＩＰアドレス、ソースポート番号、目的地ＩＰアドレス、目的地ポート番号、及びレイヤー４プロトコル（例えば、伝送制御プロトコル（ＰＣＰ）又はユーザデータグラムプロトコル（ＵＤＰ））によって特定される、インターネットプロトコル（ＩＰ）フローである。
【０２３６】
当業者は、上述の記述及び実施例に対する組み合わせ、修正及び／又は変更を容易に行うはずである。例えば、当業者は、ＥＵの実施形態及び実施例に基づきネットワークの新しい実施形態を容易に作り、ネットワークの実施形態及び実施例に基づきＵＥの新しい実施形態を作る。ハードウェア、ソフトウェア、（ハードウェアデバイスとハードウェアデバイス上に読出し専用ソフトウェアとして存在するコンピュータ指令及びデータファームウェアとの組み合わせとして知られる）ファームウェア、電子システム、又はそれらの組み合わせである得る手段を用いて、上述の記述、上述のステップを含むステップ及び／又はプロセスを実現することができる。その手段の一例は、通信デバイス２０であってよい。上記プロセス及び上記実施例のうちのいずれかがプログラムコード２１４にコンパイルされてよい。
【０２３７】
要約すると、本発明は、障害の検出後のデータ伝送を取り扱う方法及び通信デバイスを提供する。通信デバイスは、ＤＲＢ及びＲＲＣメッセージに従ってフローをＤＲＢにマッピングするマッピングを設定し、障害の回復後にＤＲＢを通じてフローの複数のＰＤＵを送信する。よって、障害後のデータ伝送の問題を解決することができる。
【０２３８】
当業者は、本発明の教示を維持しながら、デバイス及び方法の数多くの修正及び変形が行われ得ることに直ちに気付くであろう。従って、上記開示は、添付の請求項の境界によってのみ限定されるものと解釈されなければならない。
【符号の説明】
【０２３９】
１０    通信システム(communication  system)
２０    通信デバイス(communication  device)
３０    プロセス(process)
４０    プロセス(process)
５０    プロセス(process)
６０    プロセス(process)
７０    プロセス(process)
８０    プロセス(process)
９０    プロセス(process)
１００    プロセス(process)
１１０    プロセス(process)
１２０    プロセス(process)
１３０    プロセス(process)
１４０    プロセス(process)
２００  処理回路(processing  circuit)
２１０  ストレージデバイス(storage  device)
２１４  プログラムコード(program  code)
２２０  通信インターフェースデバイス(communication  interface  device)
【図１】
2018093494.tif 000003
【図２】
2018093494.tif 000004
【図３】
2018093494.tif 000005
【図４】
2018093494.tif 000006
【図５】
2018093494.tif 000007
【図６】
2018093494.tif 000008
【図７】
2018093494.tif 000009
【図８】
2018093494.tif 000010
【図９】
2018093494.tif 000011
【図１０】
2018093494.tif 000012
【図１１】
2018093494.tif 000013
【図１２】
2018093494.tif 000014
【図１３】
2018093494.tif 000015
【図１４】
2018093494.tif 000016
【外国語明細書】
2018093494000001.pdf